(57)【特許請求の範囲】
【請求項１】
内壁面にネジ部４２を設けたキャップ４のスカート４１の下部に連結片５を介して不正開封防止リング６を一体成形すると共に、びん本体１の首部２には前記ネジ部４２に螺合するネジ３を設け、キャップ４の螺脱時において該キャップ４の回転で連結片５を切断し、不正開封防止リング６から該キャップ４を切り離して、キャップ４が開封されたことを識別するキャップの不正開封防止装置において、
前記びん本体１の肩部３１下方には、首部２より大きい径の係止凸部３３を設け、該係止凸部３３の直下には、下方に縮径した逆テーパー面３４を有する凹部３２を設け、
前記不正開封防止リング６は、上端に係止凸部３３の外径よりやや小さい内径のリング上部６３を設けると共に、該リング上部６３の端部には係止凸部３３の外径よりやや大きい内径で、リング上部６３が係止凸部３３に係止されたとき下端が凹部３２の凹部下部３２ａに当接する高さのリング本体６２を一体に設け、かつ該リング本体６２の下端部にはリング本体６２の内壁面６４側に折曲可能で、該内壁面６４側に折曲した時に係止凸部３３を乗り越え可能な折曲変形自在な係止弾性片７を一体に設けてなり、該係止弾性片７がその弾性で凹部３２の逆テーパー面３４に弾接して組み付くことを特徴とする、キャップの不正開封防止装置。
【発明の詳細な説明】
【０００１】
【発明の属する技術分野】
本発明は、ピルフアープルーフ特性を有する容器における不正開封防止リングのガタツキを防止するキャップの不正開封防止装置に関する。
【０００２】
【従来の技術】
従来のピルフアープルーフ特性を有する容器としては、▲１▼特開昭５８―１６０２５８号公報、▲２▼特開昭５８―２０３８４９号公報、▲３▼特開平２―２９６６６６号公報に所載のものがある。
【０００３】
【発明が解決しようとする課題】
1）前記従来の公報に記載の技術のものでは、不正開封防止リングのガタツキを防止できる構造を採用していない。その結果、連結片が切断されてびん本体に組み付いた後に、不正開封防止リングがガタツついて動いたり、カタカタと鳴ったりして使用感がよくないという問題点がある。
2）また、従来の不正開封防止リングは、不正開封防止リングとキャップ間の離反距離が近いために、キャップが不正に開封されているか、否かの判断がし難いという問題点がある。
３）さらに、従来のピルフアープルーフ特性を有する容器における不正開封防止リングは、連結片を切断した後では、不正開封防止リングはびん本体への組み付きが確実に行われる構造を採用していないために、連結片を確実に切断できないという問題点がある。
本発明は上記問題点に鑑み発明されたもので、連結片を切断後は不正開封防止リングのガタツキを防止して使用感を良くし、加えて、キャップの開封状態が明確に判別可能なキャップの不正開封防止装置の提供を目的としている。
【０００４】
【課題を解決するための手段】
上記従来技術の課題を解決するための手段として、請求項１の発明に係るキャップの不正開封防止装置は、
内壁面にネジ部４２を設けたキャップ４のスカート４１の下部に連結片５を介して不正開封防止リング６を一体成形すると共に、びん本体１の首部２には前記ネジ部４２に螺合するネジ３を設け、キャップ４の螺脱時において該キャップ４の回転で連結片５を切断し、不正開封防止リング６から該キャップ４を切り離して、キャップ４が開封されたことを識別するキャップの不正開封防止装置において、
前記びん本体１の肩部３１下方には、首部２より大きい径の係止凸部３３を設け、該係止凸部３３の直下には、下方に縮径した逆テーパー面３４を有する凹部３２を設け、
前記不正開封防止リング６は、上端に係止凸部３３の外径よりやや小さい内径のリング上部６３を設けると共に、該リング上部６３の端部には係止凸部３３の外径よりやや大きい内径で、リング上部６３が係止凸部３３に係止されたとき下端が凹部３２の凹部下部３２ａに当接する高さのリング本体６２を一体に設け、かつ該リング本体６２の下端部にはリング本体６２の内壁面６４側に折曲可能で、該内壁面６４側に折曲した時に係止凸部３３を乗り越え可能な折曲変形自在な係止弾性片７を一体に設けてなり、該係止弾性片７がその弾性で凹部３２の逆テーパー面３４に弾接して組み付くことを特徴としている。
【０００５】
【作用】
図７〜図１０により説明すると、図７は不正開封防止装置を装着する前の説明図、図８は不正開封防止リング６が係合凸部３３を乗り越える時の説明図、図９は係合凸部３３が不正開封防止リング６が乗り越えた直後の説明図，図１０は不正開封防止リング６がびん本体１に組付いた時の説明図である。
不正開封防止装置の装着時には、図８のように係止弾性片７が強制的に不正開封防止リング６の内壁面６４側に折曲させ、不正開封防止リング６が係合凸部３３を乗り越えると、係止弾性片７の下端は係止凸部３３の下面に係止する（図９参照）。
次に、図１０のように、キャップ４を螺脱方向に回転させると連結片５が切断され、係止弾性片７の弾撥力により、係止弾性片７の下端は逆テーパー面に弾接しながらほぼ垂直姿勢で自動的に下降する。そして、リング上部６３が係止凹部６２に係止され、同時にリング体６３の下端がびん本体１の凹部下部３２ａに当接すると、不正開封防止リング６はびん本体１に自動的に確実に組み付く。従って、不正開封防止リング６は、全くガタツクことがなくびん本体１に確実に組み付く。
また、連結片５切断直後、不正開封防止リング６は自重と弾性により下降し、キャップ４位置より相当距離離反してびん本体１に自動的に組み付く。
【０００６】
【発明の実施の形態】
本発明の実施態様を図１〜図１０により説明する。
先ず、図１〜図６において、本発明は、内筒部４５の内壁面４６にネジ部４２を設けたキャップ４のスカート４１の下部に連結片５を介して不正開封防止リング６を一体成形すると共に、びん本体１の首部２には前記ネジ部４２に螺合するネジ３を設け、キャップ４の螺脱時において該キャップ４の回転で連結片５を切断し、不正開封防止リング６から該キャップ４を切り離して、キャップ４が開封されたことを識別するキャップの不正開封防止装置に関するものである。
また、前記びん本体１の肩部３１下方には、首部２より大きい径の係止凸部３３が設けられ、該係止凸部３３の直下には、下方に縮径した逆テーパー面３４を有する凹部３２が設けられている。
更に、前記不正開封防止リング６は、上端に係止凸部３３の外径よりやや小さい内径のリング上部６３を設けると共に、該リング上部６３の外側端部には係止凸部３３の外径よりやや大きい内径で、リング上部６３が係止凸部３３に係止されたとき下端が凹部３２の凹部下部３２ａに当接する高さのリング本体６２が、例えばほぼＬ形状に一体に設けられている。なお、係合凸部３３とリング上部６３との係合面は蜜接可能に形成されている。
また、該リング本体６２の下端部には、リング本体６２の内壁面６４側に折曲可能で、該内壁面６４側に折曲した時に係止凸部３３を乗り越え可能な折曲変形自在な係止弾性片７が一体に設けられている。そして、該係止弾性片７がその弾性で凹部３２の逆テーパー面３４に弾接しながらほぼ垂直姿勢で下降して不正開封防止リング６がびん本体１に確実に組み付く構成にされている。
これにより、不正開封防止リング６上端とキャップ４下端との離反距離が大きくなり、キャップ４の切断状態が明確となり、その結果、不正に開封されたか否かの識別が遠くからでもできる。
また、キャップ４のスカート４１の下端部の所定位置には、円周方向に噛合い凹部４３を設け、これに対応して不正開封防止リング６の上縁部にも噛合い凸部６１を設け、キャップ４の螺合時は噛合い凹部４３に噛合い凸部６１が噛合って該キャップ４が確実に回転する。逆に、キャップ４の螺脱時は噛合い凹部４３と噛合い凸部６１との噛合いが解除され、キャップ４は空転可能に構成されている。
【０００７】
【発明の効果】
上述した構成の本発明によれば、以下の効果を奏する。
(１)キャップを螺脱方向に回転し連結片を切断すると、不正開封防止リングの係止弾性片は逆テーパー面を弾接しながら自動で下降し、リング上部は係止凹部に係止されると共にリング本体の下端は凹部下部に当接して、不正開封防止リングはびん本体に確実に組み付けることができる。また、キャップから切り離された不正開封防止リングは、びん本体に確実に組み付くため、不正開封防止リングのガタツキが防止でき、使用者や取り扱い業者には使用感を良くさせることができる。
（２）また、不正開封防止リングがびん本体に組み付いた後では、キャップと不正開封防止リングの距離は大きく離反するため、キャップが開封された否かは遠くからでも一見して明確に視認できる。従って、キャップの不正開封を明確に判別でき、不正開封を防止できる。
【図面の簡単な説明】
【図１】本発明のびんの正面図である。
【図２】本発明のキャップの一部断面図である。
【図３】本発明のＡ―Ａ断面図である。
【図４】本発明の装置の一部切欠き底面図
【図５】びん本体の正面図
【図６】キャップ組み付け時の断面図
【図７】不正開封防止リング挿着前の状態図
【図８】不正開封防止リングが係止凸部を乗り越える時の状態図
【図９】不正開封防止リングが係止凸部を乗り越えた後の状態図
【図１０】キャップの連結片が切断され、不正開封防止リングの係止弾性片が凹部に嵌合した時の説明図
【符号の説明】
１    びん本体
２    首部
３      ネジ
３１    肩部
３２    凹部
３２ａ  凹部下部
３３    係止凸部
４      キャップ
４１    スカート
４２    ネジ部
４３    噛合い凹部
４４    支持片
４５    内筒部
４６    内壁面
５      連結片
６      不正開封防止リング
６１    噛合い凸部
６２    リング本体
６３    リング上部
６４    内壁面
７      係止弾性片
【図１】
0004281194.tif 000002
【図２】
0004281194.tif 000003
【図３】
0004281194.tif 000004
【図４】
0004281194.tif 000005
【図５】
0004281194.tif 000006
【図６】
0004281194.tif 000007
【図７】
0004281194.tif 000008
【図８】
0004281194.tif 000009
【図９】
0004281194.tif 000010
【図１０】
0004281194.tif 000011